【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
第１の番組コンテンツを搬送する第１のレギュラー・ビデオ・ストリームおよび第２の番組コンテンツを搬送する２次ビデオ・ストリームを受信して復号するステップと、
前記第１の番組コンテンツおよび前記第２の番組コンテンツを単一の表示画面上に同時に表示するステップであって、前記第１の番組コンテンツと前記第２の番組コンテンツとは異なっている該ステップと、
ユーザからの要求に応答して、前記画面上で前記第１の番組コンテンツを前記第２の番組コンテンツに置換するために、前記復号した２次ビデオ・ストリームをアップサンプリングするステップと、
第３の番組コンテンツを搬送する第２のレギュラー・ビデオ・ストリームを受信して復号するステップであって、前記第２のレギュラー・ビデオ・ストリームは時間領域で前記２次ビデオ・ストリームと同期し、前記第３の番組コンテンツは前記第２の番組コンテンツと同じである該ステップと、
前記第２のレギュラー・ビデオ・ストリーム中の瞬間デコーダ・リフレッシュ（ＩＤＲ）フレームが受信されて復号されたときに、前記第２の番組コンテンツを前記第３の番組コンテンツに置換するステップと、
を含む方法。
【請求項２】
前記２次ビデオ・ストリームのグループ・オブ・ピクチャ（ＧＯＰ）の長さが、前記第１のレギュラー・ビデオ・ストリームのＧＯＰの長さより短い、請求項１に記載の方法。
【請求項３】
第１の番組コンテンツを搬送する第１のレギュラー・ビデオ・ストリームおよび第２の番組コンテンツを搬送する２次ビデオ・ストリームを受信して復号する、少なくとも１つのビデオ・ストリーム受信機および少なくとも１つのデコーダを含む受信機と、
前記第１の番組コンテンツおよび前記第２の番組コンテンツを単一の表示画面上に同時に表示するビデオ信号を生成するビデオ・プロセッサであって、前記第１の番組コンテンツと前記第２の番組コンテンツとは異なっている前記ビデオ・プロセッサと、
ユーザからの要求に応答して、前記画面上で前記第１の番組コンテンツを前記第２の番組コンテンツに置換するために、前記復号した２次ビデオ・ストリームをアップサンプリングするアップサンプラと、を備えた装置であって、
前記受信機は、第３の番組コンテンツを搬送する第２のレギュラー・ビデオ・ストリームを受信して復号し、前記第２のレギュラー・ビデオ・ストリームは時間領域で前記２次ビデオ・ストリームと同期し、前記第３の番組コンテンツは前記第２の番組コンテンツと同じであり、
前記ビデオ・プロセッサは、前記第２のレギュラー・ビデオ・ストリーム中の瞬間デコーダ・リフレッシュ（ＩＤＲ）フレームが受信されて復号されたときに、前記第２の番組コンテンツを前記第３の番組コンテンツに置換する、前記装置。
【請求項４】
前記２次ビデオ・ストリームのグループ・オブ・ピクチャ（ＧＯＰ）の長さが、前記第１のレギュラー・ビデオ・ストリームのＧＯＰの長さより短い、請求項３に記載の装置。
【請求項５】
第１の番組コンテンツを搬送する第１のレギュラー・ビデオ・ストリームおよび第２の番組コンテンツを搬送する２次ビデオ・ストリームを受信して復号する手段と、
前記第１の番組コンテンツおよび前記第２の番組コンテンツを単一の表示画面上に同時に表示するビデオ信号を処理する手段であって、前記第１の番組コンテンツと前記第２の番組コンテンツとは異なっている、該手段と、
ユーザからの要求に応答して、前記画面上で前記第１の番組コンテンツを前記第２の番組コンテンツに置換するために、前記復号した２次ビデオ・ストリームをアップサンプリングする手段と、を備えた装置であって、
前記受信手段は、第３の番組コンテンツを搬送する第２のレギュラー・ビデオ・ストリームを受信して復号し、前記第２のレギュラー・ビデオ・ストリームは時間領域で前記２次ビデオ・ストリームと同期し、前記第３の番組コンテンツは前記第２の番組コンテンツと同じであり、
前記処理手段は、前記第２のレギュラー・ビデオ・ストリーム中の瞬間デコーダ・リフレッシュ（ＩＤＲ）フレームが受信されて復号されたときに、前記第２の番組コンテンツを前記第３の番組コンテンツに置換する、前記装置。
【請求項６】
前記２次ビデオ・ストリームのグループ・オブ・ピクチャ（ＧＯＰ）の長さが、前記第１のレギュラー・ビデオ・ストリームのＧＯＰの長さより短い、請求項５に記載の装置。
【請求項７】
第１の番組コンテンツを搬送する第１のレギュラー・ビデオ・ストリームを表示するために受信して復号するステップと、
ユーザからの第１の要求に応答して、第２の番組コンテンツを搬送する２次ビデオ・ストリームおよび第３の番組コンテンツを搬送する第２のレギュラー・ビデオ・ストリームの伝送を要求するステップであって、前記第２の番組コンテンツと前記第３の番組コンテンツとが同じである一方で、前記第１の番組コンテンツと前記第２の番組コンテンツとは異なっており、前記第２のレギュラー・ビデオ・ストリームは時間領域で前記２次ビデオ・ストリームと同期する該ステップと、
前記第１のビデオ・コンテンツおよび前記第２のビデオ・コンテンツを単一の表示画面上に同時に表示するために前記２次ビデオ・ストリームを受信して復号するステップと、
前記第２のレギュラー・ビデオ・ストリームの少なくとも最新のＧＯＰを記憶するステップと、
ユーザからの第２の要求に応答して、前記表示画面上で前記第１の番組コンテンツを前記キャッシュした第２のレギュラー・ビデオ・ストリームの番組コンテンツに置換するために、前記記憶した第２のレギュラー・ビデオ・ストリームを復号するステップと、
を含む方法。
【請求項８】
前記２次ビデオ・ストリームのグループ・オブ・ピクチャ（ＧＯＰ）の長さが、前記第１のレギュラー・ビデオ・ストリームのＧＯＰの長さより短い、請求項７に記載の方法。
【請求項９】
第１の番組コンテンツを搬送する第１のレギュラー・ビデオ・ストリームを受信して復号する、少なくとも１つのビデオ・ストリーム受信機および少なくとも１つのデコーダを含む受信機と、
メモリと、を備えた装置であって、
前記受信機は、ユーザからの第１の要求に応答して、第２の番組コンテンツを搬送する２次ビデオ・ストリームおよび第３の番組コンテンツを搬送する第２のレギュラー・ビデオ・ストリームの伝送を求める少なくとも１つの要求コマンドを送信し、前記第２の番組コンテンツと前記第３の番組コンテンツとが同じである一方で、前記第１の番組コンテンツと前記第２の番組コンテンツとは異なっており、前記第２のレギュラー・ビデオ・ストリームは時間領域で前記２次ビデオ・ストリームと同期し、
前記受信機は、前記第１のビデオ・コンテンツおよび前記第２のビデオ・コンテンツを単一の表示画面上に同時に表示するために前記２次ビデオ・ストリームを受信して復号し、かつ、前記第２のレギュラー・ビデオ・ストリームの少なくとも事前に復号された最新のＧＯＰパケットを前記メモリに記憶し、
前記受信機は、ユーザからの第２の要求に応答して、前記表示画面上で前記第１の番組コンテンツを前記キャッシュした第２のレギュラー・ビデオ・ストリームの番組コンテンツに置換するために、前記記憶した第２のレギュラー・ビデオ・ストリームを復号する、前記装置。
【請求項１０】
前記２次ビデオ・ストリームのグループ・オブ・ピクチャ（ＧＯＰ）の長さが、前記第１のレギュラー・ビデオ・ストリームのＧＯＰの長さより短い、請求項９に記載の装置。
【請求項１１】
第１の番組コンテンツを搬送する第１のレギュラー・ビデオ・ストリームを受信して復号する、少なくとも１つのビデオ・ストリーム受信機および少なくとも１つのデコーダを含む手段と、
ディジタル・データを記憶する手段と、を備えた装置であって、
前記受信手段は、ユーザからの第１の要求に応答して、第２の番組コンテンツを搬送する２次ビデオ・ストリームおよび第３の番組コンテンツを搬送する第２のレギュラー・ビデオ・ストリームの伝送を求める少なくとも１つの要求コマンドを送信し、前記第２の番組コンテンツと前記第３の番組コンテンツとが同じである一方で、前記第１の番組コンテンツと前記第２の番組コンテンツとは異なっており、前記第２のレギュラー・ビデオ・ストリームは時間領域で前記２次ビデオ・ストリームと同期し、
前記受信手段は、前記第１のビデオ・コンテンツおよび前記第２のビデオ・コンテンツを単一の表示画面上に同時に表示するために前記２次ビデオ・ストリームを受信して復号し、かつ、前記第２のレギュラー・ビデオ・ストリームの少なくとも事前に復号された最新のＧＯＰパケットを前記記憶手段に記憶し、
前記受信手段は、ユーザからの第２の要求に応答して、前記表示画面上で前記第１の番組コンテンツを前記キャッシュした第２のレギュラー・ビデオ・ストリームの番組コンテンツに置換するために、前記記憶した第２のレギュラー・ビデオ・ストリームを復号する、前記装置。
【請求項１２】
前記２次ビデオ・ストリームのグループ・オブ・ピクチャ（ＧＯＰ）の長さが、前記第１のレギュラー・ビデオ・ストリームのＧＯＰの長さより短い、請求項１１に記載の装置。